(57)【要約】【課題】  この考案は、暗闇でも犬の所在を知らせ、犬を連れて歩く人、或いは犬に近づく人の安全を図ろうとするものである。【解決手段】  みごろ３と、みごろ３に連結し首を囲む首周り部分Ｐと、みごろ３に連結し胴を囲む胴周り部材Ｑとを有するところの衣服本体２ａの後みごろ３ｂの背中部外面適所に文字や記号を表示する蓄光性彩色発光物６を配置してある。暗闇でも蓄光性彩色発光物６が発光するため、犬の所在が分かり、危険の防止に役立つ。更に蓄光性彩色発光物６は、文字や記号になっているので、探している犬や否やを簡単に識別することが出来る。【選択図】  図１
0003123209.tif 000002
【実用新案登録請求の範囲】
【請求項１】
みごろ（３）と、みごろ（３）に連結し首を囲む首周り部分（Ｐ）と、みごろ（３）に連結し胴を囲む胴周り部材（Ｑ）とを有するところの衣服本体（２ａ）の後みごろ（３ｂ）の背中部外面適所に文字や記号を表示する蓄光性彩色発光物（６）を配置したペット犬用衣服。
【請求項２】
蓄光性彩色発光物（６）が、布状物（７ｂ）表面に合成樹脂と蓄光性発光顔料との混合層（７ａ）を配置したレザー状物（７）であることを特徴とする請求項１に記載のペット犬用衣服。
【請求項３】
蓄光性彩色発光物（６）が、繊維用合成樹脂１００重量部に、平均粒径１〜１０μｍの蓄光性発光顔料を２５〜３５重量部混入した５〜７デニールよりなる捲縮性繊維よりなる製綿状片（８）であることを特徴とする請求項１に記載のペット犬用衣服。
【考案の詳細な説明】
【技術分野】
【０００１】
本考案は、ペット犬用衣服に関するものである。
【背景技術】
【０００２】
従来、ペット犬用衣服は、通常の繊維物やファー等を仕立てて作っていた。
【考案の開示】
【考案が解決しようとする課題】
【０００３】
夜闇、犬の散歩等に連れて歩いているとき、人間に比べて背の低い犬は、目立ち難く、危険に晒されたり、或いは気付かずに近づいて来る人に危険を感じて吠えつくことがあった。この考案は、暗闇でも犬の所在を知らせ、犬を連れて歩く人、或いは犬に近づく人の安全を図ろうとするものである。
【課題を解決するための手段】
【０００４】
図面を参考にして説明する。請求項１の考案に係るペット犬用衣服は、みごろ３と、みごろ３に連結し首を囲む首周り部分Ｐと、みごろ３に連結し胴を囲む胴周り部材Ｑとを有するところの衣服本体２ａの後みごろ３ｂの背中部外面適所に文字や記号を表示する蓄光性彩色発光物６を配置したものである。
【０００５】
請求項２の考案に係るペット犬用衣服は、請求項１の考案において、蓄光性彩色発光物６が、布状物７ｂ表面に合成樹脂と蓄光性発光顔料との混合層７ａを配置したレザー状物７であることを特徴とするものである。
【０００６】
請求項３の考案に係るペット犬用衣服は、請求項１の考案において、蓄光性彩色発光物６が、繊維用合成樹脂１００重量部に、平均粒径１〜１０μｍの蓄光性発光顔料を２５〜３５重量部混入した５〜７デニールよりなる捲縮性繊維よりなる製綿状片８であることを特徴とするものである。
【０００７】
デニールは合成繊維の太さを測定するのに用いる単位で長さ４５０ｍの糸が０．０５ｇの場合が１デニールで、デニールの数が多くなる程、糸は太くなる。
【０００８】
繊維用合成樹脂原料としては、ポリエステルが好適で、重量比としては、ポリエステル１００重量部に対して２５〜３５重量部、好ましくは３０重量部の蓄光性発光顔料を混ぜて押出される。２５重量部未満では発光が悪くなり、３５重量部を超えると強度が低下する。
【０００９】
また繊維の太さは６デニールが最適で、５デニール以下は蓄光性発光顔料の混ざりが悪く、また７デニールを超えると、繊維自体の透光度によって、繊維中の蓄光性発光顔料が吸光困難で発光しなくなる。
【考案の効果】
【００１０】
請求項１の考案は、ペット用衣服の後みごろ３ｂの背中部外面適所に蓄光性彩色発光物６が配置してあるので、暗闇でも蓄光性彩色発光物６が発光するため、犬の所在が分かり、危険の防止に役立つ。また、鎖が切れ、犬が逃げて所在不明になった場合でも、薄暗い場所ならば、発光するので、容易に犬を発見することが出来る。更に蓄光性彩色発光物６は、文字や記号になっているので、探している犬や否やを簡単に識別することが出来る。
【００１１】
請求項２の考案は、請求項１の考案の効果に加えて、蓄光性彩色発光物６が、布状物７ｂの表面に合成樹脂と蓄光性発光顔料との混合層７ａを配置したレザー状物７なので、加工が容易であると共に優れた耐久性を有する。
【００１２】
請求項３の考案は、請求項１の考案の効果に加えて、蓄光性彩色発光物６が、繊維用合成樹脂１００重量部に、平均粒径１〜１０μｍの蓄光性発光顔料を２５〜３５重量部混入した５〜７デニールよりなる捲縮性繊維よりなる製綿状片８なので、暗闇で特色のある美しい光を発することが出来る。
【考案を実施するための最良の形態】
【００１３】
図１及び図２を参考にして一実施形態を、図３を参考にして別な実施形態を、図４を参考にして更に別の実施例を説明するが、まず共通する事項について説明しておく。１は犬、１ａは犬の首、１ｂは犬の前脚である。２ａは衣服本体で、３はみごろ、３ａは後みごろ、Ｐは首周り部分、Ｑは胴周り部分で、以上により衣服本体２ａが構成されている。そして衣服本体２ａの犬１の背中部に蓄光性彩色発光物６を取付けることによって、衣服２が構成されている。
【００１４】
図１及び図２の一実施形態においては、後みごろ３ｂの前側には、犬１の首１ａを囲む首周り部材４が腕状に突出して設けられており、両首周り部材４，４の先端に設けた面ファスナー４ａ，４ｂを接合すると犬１の首を囲むことが出来る。後みごろ３ｂの左右両側には胴周り部材５，５が帯条に突出して設けられており、両胴周り部材５，５の先端に設けた面ファスナー５ａ，５ｂを接合すると犬１の胴を囲むことが出来る。
【００１５】
図３の別な実施形態では、後みごろ３ｂを前後方向に２つ割りして、半割後みごろ３ｂ，３ｂの両縁を縫い、紐３ｃを前に延ばし、犬の背中で交差させて、
前みごろ３ａ前端の左右方向貫
通孔に通して紐３ｃの両端を結んでいる。
【００１６】
図４の更に別の実施形態では、衣服本体２ａを貫通載頭円錐状にして両前脚１ｂを通す孔２ｃを前みごろ３ａに設けた構造にしている。
【００１７】
図５は、蓄光性彩色発光物６の一例を示すもので、布状物７ｂの表面に合成樹脂と蓄光性発光顔料との混合層７ａを付着させてレザー状物７により蓄光性彩色発光物６が構成されている。
【００１８】
図６は、蓄光性彩色発光物６の他例を説明するもので、１１はポリエステルポリマー、１２は平均粒径１〜１０μｍの蓄光性発光顔料、１３は溶剤で溶解機１４に供給され、溶解液となる。溶解液１ａは凝固溶１５中に設置した紡糸口金１６から押出され、延伸装置１７で延伸され、次いで捲縮加工機１８に送られて捲縮糸１ｂとなり、切断機１９で長さ１０〜３０ｍｍの短繊維に切断される。次いで製綿機２０に送られ、出来た綿は、目的に合った適当な大きさに分割され、捲縮短繊維製綿状片８となる。
【実施例】
【００１９】
蓄光性発光顔料としては、ＴＤＯグラフィックス株式会社の長残光蓄光顔料「ＴＤＯヒカリ・マス」（商品名）が挙げられる。また、発光色としては緑色，青色，紫色が現存する。
【図面の簡単な説明】
【００２０】
【図１】（イ）本考案に係るペット用衣服の第１実施形態の平面図、（ロ）は（イ）の図１のペット用衣服の底面図である。
【図２】図１のペット用衣服を犬が着用した状態の側面図である。
【図３】本考案に係るペット用衣服の別な実施形態を示す平面斜視図である。
【図４】本考案に係るペット用衣服の更に別な実施形態を示すもので、（イ）は平面図、（ロ）は（イ）の底面図である。
【図５】レザー状蓄光性彩色発光物の垂直切断面図である。
【図６】製綿状片よりなる蓄光性彩色発光物の説明図である。
【符号の説明】
【００２１】
１      犬
１ａ    首
１ｂ    前脚
２      衣服
２ａ    衣服本体
２ｃ    孔
３      みごろ
３ａ    前みごろ
３ｂ    後みごろ
３ｃ    紐
４      首周り部材
４ａ，４ｂ  面ファスナー
５      胴周り材
５ａ，５ｂ  面ファスナー
６      蓄光性彩色発光物
７      レザー状物
７ａ    混合層
７ｂ    布状物
８      綿状片
１１    ポリエステルポリマー
１２    蓄光性発光顔料
１３    溶剤
１４    溶解機
１５    凝固溶
１６    紡糸口金
１７    延伸装置
１８    捲縮加工機
１９    切断機
２０    製綿機
【図１】
0003123209.tif 000003
【図２】
0003123209.tif 000004
【図３】
0003123209.tif 000005
【図４】
0003123209.tif 000006
【図５】
0003123209.tif 000007
【図６】
0003123209.tif 000008